(57)【要約】【課題】モニタのユーザに応じたパレンタルレベルでＤＶＤ-Ｖｉｄｅｏディスクを再生する「ビデオシステム」を提供する。【解決手段】制御部１１は、ＤＶＤ-Ｖｉｄｅｏ再生装置８がユーザによってフロントモニタ２にのみ映像を出力する装置としてのみ選択されたならば、ＤＶＤ-Ｖｉｄｅｏ再生装置８にパレンタルレベルａを設定する。一方、ＤＶＤ-Ｖｉｄｅｏ再生装置８がユーザによってリアントモニタ３にのみ、または、リアモニタ３とフロントモニタ２の双方に、映像を出力する装置としてのみ選択されたならば、ＤＶＤ-Ｖｉｄｅｏ再生装置８にパレンタルレベルｂ（ａ＞ｂ）を設定する。ＤＶＤ-Ｖｉｄｅｏ再生装置８は、設定されたパレンタルレベルで許容されるパレンタルレベル範囲が定義されたビデオコンテンツのみを再生する。【選択図】図１
2006197432.tif 000002
【特許請求の範囲】
【請求項１】
視聴を制限するレベルである視聴制限レベルを示す視聴制限レベル情報が定義されたビデオコンテンツの映像を出力する映像出力装置と、配給された映像を表示する複数のモニタとを備えたビデオシステムであって、
前記映像出力装置が出力した映像を、前記複数のモニタのうちのユーザによって指定されたモニタに配給する映像配給手段と、
前記映像配給手段が、映像を配給するモニタに対して予め設定された視聴制限レベルを、前記映像出力装置に設定する視聴制限レベル制御手段とを有し、
前記映像出力装置は、前記視聴制限レベル制御手段から設定された視聴制限レベルを、視聴を制限する視聴制限レベルとして示している視聴制限レベル情報が定義されたビデオコンテンツについては、当該ビデオコンテンツの映像を出力しないことを特徴とするビデオシステム。
【請求項２】
請求項１記載のビデオシステムであって、
前記視聴制限レベル制御手段は、前記映像配給手段が映像を複数のモニタに同時に配給する場合には、映像を同時に配給される複数のモニタに対して各々予め設定された視聴制限レベルのうち、最も視聴制限の度合いが強い視聴制限レベルを前記映像出力装置に設定することを特徴とするビデオシステム。
【請求項３】
請求項１記載のビデオシステムであって、
前記視聴制限レベル制御手段は、前記映像配給手段が映像を複数のモニタに同時に配給する場合には、映像を同時に配給される複数のモニタのうちの少なくとも一つのモニタに対して予め設定されている視聴制限レベルの全てを、前記映像出力装置に設定し、
前記映像出力装置は、前記視聴制限レベル制御手段から複数の視聴制限レベルが設定され、かつ、前記ビデオコンテンツが、異なる視聴制限レベルを示す視聴制限レベル情報が定義された複数のビデオストリームを含む場合、設定された各視聴制限レベルについて、当該視聴制限レベルを、視聴を制限する視聴制限レベルとして示していない視聴制限レベル情報が定義されたビデオストリームを探索し、探索した全てのビデオストリームの映像を同時に並行して出力し、かつ、
前記視聴制限レベル制御手段は、前記映像配給手段に、映像を同時に配給する各モニタに、前記映像出力装置が出力した映像のうちの、当該モニタに対して予め設定された視聴制限レベルについて前記映像出力装置が探索したビデオストリームの映像を配給させることを特徴とするビデオシステム。
【請求項４】
請求項１、２または３記載のビデオシステムであって、
当該ビデオシステムは、自動車に搭載されるビデオシステムであり、
前記複数のモニタは、自動車のフロントシート搭乗者によって利用されるフロントモニタと、自動車のリアシート搭乗者によって利用されるリアモニタとを含むことを特徴とするビデオシステム。
【請求項５】
請求項１、２、３または４記載のビデオシステムであって、
前記映像出力装置は、ＤＶＤ＿Ｖｉｄｅｏディスクに記録されたビデオコンテンツを再生出力するＤＶＤ＿Ｖｉｄｅｏ再生装置であって、
前記視聴制限レベルは、パレンタルレベルであることを特徴とするビデオシステム。
【請求項６】
請求項１、２、３または４記載のビデオシステムであって、
前記映像出力装置は、前記視聴制限レベル情報が定義されたビデオコンテンツを放送するＴＶ放送を受信し、受信したビデオコンテンツの映像を出力するＴＶチューナであることを特徴とするビデオシステム。
【請求項７】
請求項４記載のビデオシステムであって、
前記映像出力装置は、ＤＶＤ＿Ｖｉｄｅｏディスクに記録されたビデオコンテンツを再生出力するＤＶＤ＿Ｖｉｄｅｏ再生装置であって、
前記視聴制限レベルは、パレンタルレベルであり、
前記異なる視聴制限レベルを示す視聴制限レベル情報が定義された複数のビデオストリームを含むビデオコンテンツは、パレンタルブロックを含むビデオコンテンツであり、特定の視聴制限レベルを示す視聴制限レベル情報が定義されたビデオストリームは、前記パレンタルブロックを含むビデオコンテンツに含まれる、前記特定のパレンタルレベルが定義された１または複数のＰＧＣによって形成されることを特徴とするビデオシステム。
【発明の詳細な説明】
【技術分野】
【０００１】
本発明は、ビデオの視聴制限レベルを制御する技術に関するものである。
【背景技術】
【０００２】
ビデオの視聴制限レベルを制御する技術としてはＤＶＤ-Ｖｉｄｅｏにおけるパレンタルレベルを用いた技術が知られている。
この技術では、ＤＶＤ-Ｖｉｄｅｏ再生装置において、当該ＤＶＤ-Ｖｉｄｅｏ再生装置に予め設定されたパレンタルレベルを含むパレンタルレベル範囲が、ＤＶＤ-Ｖｉｄｅｏディスクにおいて定義されているビデオコンテンツ／シーンのみを再生するものである。
また、このようなパレンタルレベルを用いてビデオの視聴制限レベルを制御する技術としては、ＤＶＤ-Ｖｉｄｅｏ再生装置にユーザ毎のパレンタルレベルを記憶させておき、ＤＶＤ-Ｖｉｄｅｏ再生装置において、ＤＶＤ-Ｖｉｄｅｏディスクの再生開始時に、ＤＶＤ-Ｖｉｄｅｏ再生装置において、ユーザのユーザＩＤやパスワードの入力を受け付けてユーザの認証を行い、認証したユーザに対して記憶しておいたパレンタルレベルを、当該ＤＶＤ-Ｖｉｄｅｏディスクの再生において用いるパレンタルレベルとして設定する技術が知られている（たとえば、特許文献１）。
【特許文献１】特開２００２-１１２１８１号公報
【発明の開示】
【発明が解決しようとする課題】
【０００３】
ＤＶＤ-Ｖｉｄｅｏディスクの視聴開始時に毎回ユーザＩＤやパスワードを入力する必要があるために操作が煩雑である。また、ＤＶＤ-Ｖｉｄｅｏディスクの再生開始操作などの簡単な操作は行えるがその他の複雑な操作を行えない幼児などにＤＶＤ-Ｖｉｄｅｏディスクを視聴させたい場合には、一々親などが手助けしなれればならない。
【０００４】
また、単一のＤＶＤ-Ｖｉｄｅｏ再生装置と、各々異なるユーザによって使用される複数のモニタとを備え、ＤＶＤ-Ｖｉｄｅｏ再生装置の出力映像を、任意のモニタに出力するＡＶシステムに、この技術を適用する場合には以下の問題が生じる。
すなわち、ＤＶＤ-Ｖｉｄｅｏ再生装置は一時には単一のパレンタルレベルの設定下でＤＶＤ-Ｖｉｄｅｏディスクの再生を行うので、ＤＶＤ-Ｖｉｄｅｏディスクの視聴を複数のユーザが各々異なるモニタを用いて同時に行う場合において、各モニタのユーザに対応するパレンタルレベルが異なるときには、全てのユーザが自己に対応するパレンタルレベルに応じたＤＶＤ-Ｖｉｄｅｏの視聴を行うことはできない。
【０００５】
なお、単一のＤＶＤ-Ｖｉｄｅｏ再生装置と、各々異なるユーザによって使用される複数のモニタとを備えたＡＶシステムとしては、たとえば、前席ユーザ用のフロントモニタと、後席ユーザ用のリアモニタを備え、単一のＤＶＤ-Ｖｉｄｅｏ再生装置の出力映像を、フロントモニタとリアモニタのうちの任意の一方に出力する車載のＡＶシステムなどがある。
【０００６】
そこで、本発明は、ＤＶＤ-Ｖｉｄｅｏ再生装置と、各々異なるユーザによって使用される複数のモニタとを備え、ＤＶＤ-Ｖｉｄｅｏ再生装置の出力映像を、任意のモニタに出力するビデオシステムにおいて、煩雑な操作を必要とすることなしに、各モニタに対して当該モニタを使用するユーザに対応するパレンタルレベルに応じた映像出力を行えるようにすることを課題とする。
【課題を解決するための手段】
【０００７】
前記課題達成のために、本発明は、視聴を制限するレベルである視聴制限レベルを示す視聴制限レベル情報が定義されたビデオコンテンツの映像を出力する映像出力装置と、配給された映像を表示する複数のモニタとを備えたビデオシステムに、前記映像出力装置が出力した映像を、前記複数のモニタのうちのユーザによって指定されたモニタに配給する映像配給手段と、前記映像配給手段が、映像を配給するモニタに対して予め設定された視聴制限レベルを、前記映像出力装置に設定する視聴制限レベル制御手段とを備えたものである。ここで、前記映像出力装置は、前記視聴制限レベル制御手段から設定された視聴制限レベルを、視聴を制限する視聴制限レベルとして示している視聴制限レベル情報が定義されたビデオコンテンツについては、当該ビデオコンテンツの映像を出力しないものである。
【０００８】
このようなビデオシステムによれば、映像出力装置が映像を出力できるビデオコンテンツの視聴制限レベルを、その映像が出力されるモニタ毎に自動的に切り替えることができる。したがって、ユーザの煩雑な操作を必要とすることなしに、複数のモニタの各々について、モニタ毎に、そのモニタに出力することのできるビデオコンテンツの視聴制限レベルを、そのモニタを使用するユーザに応じたレベルに自動的に制限することができる。
【０００９】
なお、このようなビデオシステムは、前記映像配給手段が映像を複数のモニタに同時に配給する場合に、前記視聴制限レベル制御手段において、映像を同時に配給される複数のモニタに対して各々予め設定された視聴制限レベルのうち、最も視聴制限の度合いが強い視聴制限レベルを前記映像出力装置に設定するようにしてもよい。このようにすることにより、複数のモニタに同じビデオコンテンツ映像を出力する場合に、出力できるビデオコンテンツの視聴制限レベルを、映像を出力するモニタのユーザの内で、最も視聴制限の度合いを強くすべきユーザに適した視聴制限レベルに制限し、そのユーザが、そのユーザに適した視聴制限レベルを逸脱した視聴制限レベルのビデオコンテンツを視聴してしまうことを排除することができる。
【００１０】
または、このようなビデオシステムは、前記映像配給手段が映像を複数のモニタに同時に配給する場合に、前記視聴制限レベル制御手段において、映像を同時に配給される複数のモニタのうちの少なくとも一つのモニタに対して予め設定されている視聴制限レベルの全てを、前記映像出力装置に設定し、前記映像出力装置において、前記視聴制限レベル制御手段から複数の視聴制限レベルが設定され、かつ、前記ビデオコンテンツが、異なる視聴制限レベルを示す視聴制限レベル情報が定義された複数のビデオストリームを含む場合、設定された各視聴制限レベルについて、当該視聴制限レベルを、視聴を制限する視聴制限レベルとして示していない視聴制限レベル情報が定義されたビデオストリームを探索し、探索した全てのビデオストリームの映像を同時に並行して出力し、かつ、前記視聴制限レベル制御手段において、前記映像配給手段に、映像を同時に配給する各モニタに、前記映像出力装置が出力した映像のうちの、当該モニタに対して予め設定された視聴制限レベルについて前記映像出力装置が探索したビデオストリームの映像を配給させるようにしてもよい。ここで、この場合には、前記映像出力装置を、ＤＶＤ＿Ｖｉｄｅｏディスクに記録されたビデオコンテンツを再生出力するＤＶＤ＿Ｖｉｄｅｏ再生装置とし、前記視聴制限レベルを、パレンタルレベルとしてもよい。なお、この場合には、前記異なる視聴制限レベルを示す視聴制限レベル情報が定義された複数のビデオストリームを含むビデオコンテンツは、パレンタルブロックを含むビデオコンテンツであり、特定の視聴制限レベルを示す視聴制限レベル情報が定義されたビデオストリームは、前記パレンタルブロックを含むビデオコンテンツに含まれる、前記特定のパレンタルレベルが定義された１または複数のＰＧＣによって形成されるものとなる。
【００１１】
これらのようにすることにより、前記映像配給手段が同じビデオコンテンツの映像を複数のモニタに同時に配給する場合であって、当該ビデオコンテンツが、異なる視聴制限レベルを示す視聴制限レベル情報が定義された複数のビデオストリームを含む場合には、ユーザの煩雑な操作を必要とすることなしに、映像が出力される各モニタに、そのモニタのユーザに対応する視聴制限レベルに応じたビデオストリームの映像出力を同時並行的に行えるようになる。
【００１２】
なお、以上のビデオシステムは、自動車に搭載されるビデオシステムであってよく、この場合に、前記複数のモニタは、自動車のフロントシート搭乗者によって利用されるフロントモニタと、自動車のリアシート搭乗者によって利用されるリアモニタとを含むものであってよい。また、以上のビデオシステムにおいて、前記映像出力装置は、ＤＶＤ＿Ｖｉｄｅｏディスクに記録されたビデオコンテンツを再生出力するＤＶＤ＿Ｖｉｄｅｏ再生装置であってよく、この場合には、前記視聴制限レベルは、パレンタルレベルとなる。また、以上のビデオシステムにおいて、前記映像出力装置は、前記視聴制限レベル情報が定義されたビデオコンテンツを放送するＴＶ放送を受信し、受信したビデオコンテンツの映像を出力するＴＶチューナであってもよい。
【発明の効果】
【００１３】
以上のように、本発明によれば、ＤＶＤ-Ｖｉｄｅｏ再生装置と、各々異なるユーザによって使用される複数のモニタとを備え、ＤＶＤ-Ｖｉｄｅｏ再生装置の出力映像を、任意のモニタに出力するビデオシステムにおいて、煩雑な操作を必要とすることなしに、各モニタに対して当該モニタを使用するユーザに対応するパレンタルレベルに応じた映像出力を行えるようになる。
【発明を実施するための最良の形態】
【００１４】
以下、本発明の実施形態を、自動車に搭載される車載ＡＶシステムへの適用を例にとり説明する。
まず、第１の実施形態について説明する。
図１ａに、本実施形態に係る車載ＡＶシステムの構成を示す。
図示するように車載ＡＶシステムは、メインユニット１、フロントシートユーザ用の表示装置であるフロントモニタ２、リアシートユーザ用の表示装置であるリアモニタ３、スピーカやヘッドホンなどのフロントシートユーザ用のフロント音声出力装置４、スピーカやヘッドホンなどのリアシートユーザ用のリア音声出力装置５、フロントシートユーザ用の入力装置であるフロント操作部６、リアシートユーザ用の入力装置であるリア操作部７、ＤＶＤ-Ｖｉｄｅｏディスクを再生するＤＶＤ-Ｖｉｄｅｏ再生装置８、ＴＶチューナ９、ナビゲーション装置１０とを有する。
【００１５】
また、メインユニット１は、制御部１１、ビデオセレクタ１２、オーディオセレクタ１３とを有する。
このような構成において、ビデオセレクタ１２は、制御部１１の制御に従って、ＤＶＤ-Ｖｉｄｅｏ再生装置８が出力する映像とＴＶチューナ９が出力する映像とナビゲーション装置１０が出力する映像の内から一つの映像を選択しフロントモニタ２に出力する。また、ビデオセレクタ１２は、制御部１１の制御に従って、ＤＶＤ-Ｖｉｄｅｏ再生装置８が出力する映像とＴＶチューナ９が出力する映像とナビゲーション装置１０が出力する映像の内から一つの映像を選択しリアモニタ３に出力する。ここで、ビデオセレクタ１２は、フロントモニタ２とリアモニタ３に同時に同じ映像を出力できるように構成してもよい。
【００１６】
次に、オーディオセレクタ１３は、制御部１１の制御に従って、ＤＶＤ-Ｖｉｄｅｏ再生装置８が出力する音声とＴＶチューナ９が出力する音声とナビゲーション装置１０が出力する音声の内から一つの音声を選択しフロント音声出力装置４に出力する。また、オーディオセレクタ１３は、制御部１１の制御に従って、ＤＶＤ-Ｖｉｄｅｏ再生装置８が出力する音声とＴＶチューナ９が出力する音声とナビゲーション装置１０が出力する音声の内から一つの音声を選択しリア音声出力装置５に出力する。ここで、オーディオセレクタ１３は、フロント音声出力装置４とリア音声出力装置５に同時に同じ音声を出力できるように構成してもよい。
【００１７】
次に、制御部１１は、フロント操作部６を介してユーザから、ＤＶＤ-Ｖｉｄｅｏ再生装置８とＴＶチューナ９とナビゲーション装置１０との３つの装置の内から、フロントモニタ２とフロント音声出力装置４への出力元となるソース装置の選択を受け付け、選択を受け付けたソース装置の出力映像をビデオセレクタ１２にフロントモニタ２に出力させると共に、選択を受け付けたソース装置の出力音声をオーディオセレクタ１３にフロント音声出力装置４に出力させる。また、制御部１１は、リア操作部７を介してユーザから、ＤＶＤ-Ｖｉｄｅｏ再生装置８とＴＶチューナ９とナビゲーション装置１０との３つの装置の内から、リアモニタ３とリア音声出力装置５への出力元となるソース装置の選択を受け付け、選択を受け付けたソース装置の出力映像をビデオセレクタ１２にリアモニタ３に出力させると共に、選択を受け付けたソース装置の出力音声をオーディオセレクタ１３にリア音声出力装置５に出力させる。ここでは、以下では、説明の便宜上、ＤＶＤ-Ｖｉｄｅｏ再生装置８とＴＶチューナ９とナビゲーション装置１０との内の、フロントモニタ２とフロント音声出力装置４への出力元となっているソース装置を「フロントソース装置」と呼び、ＤＶＤ-Ｖｉｄｅｏ再生装置８とＴＶチューナ９とナビゲーション装置１０との内の、リアモニタ３とリア音声出力装置５への出力元となっているソース装置を「リアソース装置」と呼ぶ。
【００１８】
さて、制御部１１は、フロントソース装置の各種操作をフロント操作部６から受け付け、受け付けた操作に応じたフロントソース装置の動作の制御を行う。また、同様に、制御部１１は、リアソース装置の各種操作をリア操作部７から受け付け、受け付けた操作に応じたリアソース装置の動作の制御を行う。ここで、このようなフロントソース装置やリアソース装置の動作の制御としては、フロントソース装置やリアソース装置がＤＶＤ-Ｖｉｄｅｏ再生装置８である場合にはＤＶＤ-Ｖｉｄｅｏ再生装置８の各種再生動作の制御（再生開始／一時停止／早送り／早戻し／再生タイトル変更など）があり、フロントソース装置やリアソース装置がＴＶチューナ９である場合にはＴＶチューナ９の受信動作の制御（受信チャンネルの変更など）があり、フロントソース装置やリアソース装置がナビゲーション装置１０である場合には目的地設定やその他のナビゲーション装置１０の各種動作の制御がある。
【００１９】
ここで、図１ｂに、以上各部の自動車内の配置例を示す。
図示するように、メインユニット１やＤＶＤ-Ｖｉｄｅｏ再生装置８やＴＶチューナ９やナビゲーション装置１０はダッシュボード内等に配置される。また、フロントモニタ２は、ダッシュボード内またはダッシュボード上などに配置され、リアモニタ３は自動車室内のフロントシート背もたれ部付近の天井やフロントシート背面に配置される。また、フロント音声出力装置４はフロントドア内などに配置され、リア音声出力装置５は当該リア音声出力装置５をヘッドホンとした場合には図示するようにリアシート近辺に配置される。そして、フロント操作部６は、フロントモニタ２の表示面上に配置されたタッチパネルや携帯型のリモートコントローラなどとして車内に配置され、リア操作部７は、リアモニタ３の表示面上に配置されたタッチパネルや携帯型のリモートコントローラなどとして車内に配置される。なお、図は、フロント操作部６を、フロントモニタ２の表示面上のタッチパネルとして配置し、リア操作部７をリモートコントローラとして配置した場合を示している。
【００２０】
以下、このような車載ＡＶシステムのパレンタルレベル制御の動作について説明する。
図２に、制御部１１が行うパレンタルレベル制御処理の手順を示す。
図示するように、この処理では、ＤＶＤ-Ｖｉｄｅｏ再生装置８がユーザによってフロントソース装置またはリアソース装置として選択されるか（ステップ２０２）、ＴＶチューナ９がユーザによってフロントソース装置またはリアソース装置として選択されるのを（ステップ２０６）監視する。
【００２１】
そして、ＤＶＤ-Ｖｉｄｅｏ再生装置８がユーザによってフロントソース装置またはリアソース装置として選択されたならば（ステップ２０２）、ＤＶＤ-Ｖｉｄｅｏ再生装置８の出力映像と出力音声の出力先に応じて、すなわち、ＤＶＤ-Ｖｉｄｅｏ再生装置８がフロントソース装置とリアソース装置のいずれとして、または、ＤＶＤ-Ｖｉｄｅｏ再生装置８がフロントソース装置とリアソース装置の双方として選択されているかに応じて、ＤＶＤ-Ｖｉｄｅｏ再生装置８にパレンタルレベルを設定する（ステップ２０４）。
【００２２】
ここで、このパレンタルレベルは、ＤＶＤ-Ｖｉｄｅｏ再生装置８がフロントソース装置としてのみ選択されている場合にレベルａに、ＤＶＤ-Ｖｉｄｅｏ再生装置８が少なくともリアソース装置として選択されている場合（リアソース装置としてのみ選択されている場合とリアソース装置としてもフロントソース装置としても選択されている場合）にレベルｂに設定する。ここで、レベルｂはレベルａよりも、ＤＶＤ-Ｖｉｄｅｏディスクの視聴が厳しく制限されるレベルである。すなわち、たとえば、ＤＶＤ-Ｖｉｄｅｏ再生装置８がフロントソース装置としてのみ選択されている場合にレベル８のパレンタルレベルをＤＶＤ-Ｖｉｄｅｏ再生装置８に設定し、ＤＶＤ-Ｖｉｄｅｏ再生装置８が少なくともリアソース装置として選択されている場合にレベル３のパレンタルレベルをＤＶＤ-Ｖｉｄｅｏ再生装置８に設定する。なお、このレベルａとレベルｂの値は、メインユニット１に対して所定の権限を有するユーザによって予め制御部１１に設定しておく。
【００２３】
次に、ＴＶチューナ９がユーザによってフロントソース装置またはリアソース装置として選択されたならば（ステップ２０６）、ＴＶチューナ９の出力映像と出力音声の出力先に応じて、すなわち、ＴＶチューナ９がフロントソース装置とリアソース装置のいずれとして、または、ＴＶチューナ９がフロントソース装置とリアソース装置の双方として選択されているかに応じて、ＴＶチューナ９にパレンタルレベルを設定する（ステップ２０８）。
【００２４】
ここで、このパレンタルレベルは、ＴＶチューナ９がフロントソース装置としてのみ選択されている場合にレベルｃに、ＴＶチューナ９が少なくともリアソース装置として選択されている場合（リアソース装置としてのみ選択されている場合とリアソース装置としてもフロントソース装置としても選択されている場合）にレベルｄに設定する。ここで、レベルｄはレベルｃよりも、ＴＶチューナ９が受信するプログラムの視聴が厳しく制限されるレベルである。すなわち、たとえば、ＴＶチューナ９がフロントソース装置としてのみ選択されている場合にレベル８のパレンタルレベルをＤＴＶチューナ９に設定し、ＴＶチューナ９が少なくともリアソース装置として選択されている場合にレベル３のパレンタルレベルをＤＴＶチューナ９に設定する。なお、このレベルｃとレベルｄの値も、メインユニット１に対して所定の権限を有するユーザによって予め制御部１１に設定しておく。
【００２５】
以上、制御部１１が行うパレンタルレベル制御処理について説明した。
次に、このようにして設定されたパレンタルレベルに基づいて行われるＤＶＤ-Ｖｉｄｅｏ再生装置８の再生制御動作について説明する。
図３に示すように、ＤＶＤ-Ｖｉｄｅｏディスクには、１または複数のビデオタイトルセット（ＶＴＳ）が記録されており、各ＶＴＳは１または複数のビデオタイトルセットビデオタイトル（ＶＴＳ＿ＴＴ）を含む。そして、ＶＴＳ＿ＴＴは、プログラムチェイン（ＰＧＣ）を含む。
【００２６】
そして、ＰＴＬ＿ＭＡＩにおいて、各ＶＴＳが対応するパレンタルレベル（ＰＴＬ）の範囲が定義され、ＴＴ＿ＳＲＰにおいて各ＶＴＳ＿ＴＴが対応するパレンタルレベル（ＰＴＬ）の範囲が定義され、ＰＧＣＩ＿ＳＲＰにおいて各ＰＧＣにが対応するパレンタルレベル（ＰＴＬ）の範囲が定義されている。
【００２７】
ここで、ＰＧＣは再生されるべき映像と音声の集合であり、各ＰＧＣの再生シーケンス（再生順）は予め各ＰＧＣに対して定義されている。ただし、図示するように、複数の対応するパレンタルレベルの範囲が異なるＰＧＣで一つのパレンタルブロックを構成することができ、ＤＶＤ-Ｖｉｄｅｏ再生装置８は、パレンタルブロックに属するＰＧＣが再生対象となった場合には、そのＰＧＣと同じパレンタルブロック構成している複数のＰＧＣの内から、ＤＶＤ-Ｖｉｄｅｏ再生装置８に設定されているパレンタルレベルを含む範囲のパレンタルレベルが定義されているＰＧＣを選択して再生する。
【００２８】
また、ＤＶＤ-Ｖｉｄｅｏ再生装置８は、ＤＶＤ-Ｖｉｄｅｏ再生装置８に設定されているパレンタルレベルを含む範囲のパレンタルレベルが定義されていないＶＴＳやＶＴＳ＿ＴＴやＰＧＣは、ユーザから再生を指示されても、その再生は行わない。
【００２９】
結果、レベルａとしてレベル８を、レベルｂとしてレベル３を設定している場合には、フロントシートのユーザは、フロントモニタ２とフロント音声出力装置４を用いて、図３の３０１の対応するパレンタルレベル範囲が４-８のＶＴＳも、３０２の対応するパレンタルレベル範囲が３-８のＶＴＳも視聴することができるが、リアシートのユーザは、リアモニタ３とリア音声出力装置５を用いて、３０２の対応するパレンタルレベル範囲が３-８のＶＴＳは視聴することができるが、３０１の対応するパレンタルレベル範囲が４-８のＶＴＳは視聴することができない。また、同様に、フロントシートのユーザは、フロントモニタ２とフロント音声出力装置４を用いて、３０３の対応するパレンタルレベル範囲が３-８のＶＴＳ＿ＴＴも、３０４の対応するパレンタルレベル範囲が４-８のＶＴＳ＿ＴＴも視聴することができるが、リアシートのユーザは、リアモニタ３とリア音声出力装置５を用いて、３０３の対応するパレンタルレベル範囲が３-８のＶＴＳ＿ＴＴは視聴することができるが、３０４の対応するパレンタルレベル範囲が４-８のＶＴＳ＿ＴＴは視聴することができない。
【００３０】
そして、３０５のＶＴＳ＿ＴＴについては、フロントシートのユーザは、フロントモニタ２とフロント音声出力装置４を用いて、３０６のシーケンスでＰＧＣが再生されるビデオストリームを視聴することができ、リアシートのユーザは、リアモニタ３とリア音声出力装置５を用いて、３０６のシーケンスでＰＧＣが再生されるビデオストリームは視聴できず、３０７のシーケンスでＰＧＣが再生されるビデオストリームのみを視聴することができる。
【００３１】
ただし、ＤＶＤ-Ｖｉｄｅｏ再生装置８がフロントソース装置としてもリアソース装置としても選択されている場合には、フロントシートのユーザは、フロントモニタ２とフロント音声出力装置４を用いて、リアモニタ３とリア音声出力装置５を用いてリアシートのユーザが視聴しているビデオコンテンツのみを視聴できる。すなわち、フロントシートのユーザは、リアシートのユーザが視聴できる範囲内においてのみ、ビデオコンテンツを視聴できることになる。
【００３２】
次に、前述のように設定されたパレンタルレベルに基づいて行われるＴＶチューナ９の受信制御動作について説明する。
ここで、本実施形態においてＴＶチューナ９が受信するＴＶ放送は、図４ａに示すように、放送プログラムのコンテンツである映像と音声を表すプログラムデータ（ＰＧＤ）と、放送中のプログラムについてのパレンタルレベルを含むプログラム情報ＰＧＩを多重化して放送するものである。
【００３３】
そして、ＴＶチューナ９は、ユーザから指定された受信チャネルで受信しているプログラム情報ＰＧＩが、ＴＶチューナ９に設定されているパレンタルレベルを含む範囲のパレンタルレベル、または、ＴＶチューナ９に設定されているパレンタルレベル以下のパレンタルレベルを示していないとには、その受信チャネルで受信したプログラムデータの映像、音声の出力は行わないものである。
【００３４】
なお、ＴＶチューナ９が受信するＴＶ放送は、図４ｂに示すように、複数のチャネルＣｈ１-Ｃｈｎで各々放送中のプログラムについてのパレンタルレベルを含むプログラム情報Ｃｈｘ-ＰＧＩを、プログラム情報専用のチャネルＣｈＩで受信するものなどであってもよい。この場合には、ＴＶチューナ９は、プログラム情報専用のチャネルＣｈＩで受信したプログラム情報Ｃｈｘ-ＰＧＩが、ＴＶチューナ９に設定されているパレンタルレベルを含む範囲のパレンタルレベル、または、ＴＶチューナ９に設定されているパレンタルレベル以下のパレンタルレベルを示していないとには、ユーザから受信チャネルとしてチャネルＣｈｘを指定された場合でも、当該受信チャネルＣｈｘで受信したプログラムデータの映像、音声の出力は行わない。
【００３５】
以上、本発明の第１実施形態について説明した。
このような車載ＡＶシステムによれば、フロントモニタ及びフロント音声出力装置４にはパレンタルレベルがレベルａに対応するビデオコンテンツを出力することができるが、リアモニタ及びリア音声出力装置５にはパレンタルレベルがレベルｂに対応するビデオコンテンツのみが出力されることになる。また、一般的な家庭の使用環境下では、フロントモニタ及びフロント音声出力装置４を使用するユーザと、リアモニタ及びリア音声出力装置５を使用するユーザ、すなわち、各ユーザの着席するシートは固定的に定まっている。たとえば、リアシートにチャイルドシートなどを装着している家庭では、児童は常にリアシートに着席するため、常にリアモニタ及びリア音声出力装置５を使用することになる。したがって、本実施形態によれば、ユーザの煩雑な操作を必要とすることなしに、フロントモニタ及びフロント音声出力装置４の組と、リアモニタ及びリア音声出力装置５の組それぞれについて、各組を使用するユーザに対応するパレンタルレベルに応じた映像、音声出力を行えるようになる。なお、上記した例で、児童がフロントシートに着席した場合には、少なくとも運転席にいる大人が、児童の不適切なパレンタルレベルもビデオコンテンツの視聴を抑止するようにすればよい。
【００３６】
以下、本発明の第２実施形態について説明する。
図５に、本実施形態に係る車載ＡＶシステムの構成を示す。
図示するように、本第２実施形態に係る車載ＡＶシステムの全体構成は、図１に示した第１実施形態に係る車載ＡＶシステムの全体構成と同様であるが、ＤＶＤ-Ｖｉｄｅｏ再生装置８から２系統の映像の出力がビデオセレクタ１２に行われ、ＤＶＤ-Ｖｉｄｅｏ再生装置８から２系統の音声の出力がオーディオセレクタ１３に行われる点が異なる。また、ＤＶＤ-Ｖｉｄｅｏ再生装置８の構成も、通常のＤＶＤ-Ｖｉｄｅｏ再生装置８の構成とは異なる。
【００３７】
すなわち、本第２実施形態に係るＤＶＤ-Ｖｉｄｅｏ再生装置８は、図５に示すように、ＤＶＤ-Ｖｉｄｅｏディスクのデータの再生を行うＤＶＤ-Ｖｉｄｅｏディスクドライブ８１、ＤＶＤ-Ｖｉｄｅｏディスクドライブ８１を介してＤＶＤ-Ｖｉｄｅｏディスクからのデータの読み出しを行うデータ読出制御部８２、ＤＶＤ-Ｖｉｄｅｏディスクから読み出されたプレゼンテーションデータが示す映像と音声を再生出力する第１プレゼンテーションエンジン８３、ＤＶＤ-Ｖｉｄｅｏディスクから読み出されたプレゼンテーションデータが示す映像と音声等を再生出力する第２プレゼンテーションエンジン８４、データ読出制御部８２のデータ読み出し動作と、ＤＶＤ-Ｖｉｄｅｏディスクから読み出されたナビゲーションデータに従って第１プレゼンテーションエンジン８３と第２プレゼンテーションエンジン８４のプレゼンテーションデータの再生動作を制御するナビゲーションエンジン８５とを有する。なお、プレゼンテーションデータとは、ＤＶＤ-Ｖｉｄｅｏディスクに記録されたビデオコンテンツを構成する映像や音声などのビデオコンテンツのプレゼンテーションの目的たるデータであり、ナビゲーションデータは、プレゼンテーションデータが示す映像や音声などの再生シーケンスなどを規定するためにＤＶＤ-Ｖｉｄｅｏディスクに記録されているデータである。
【００３８】
また、ナビゲーションエンジン８５は、第１プレゼンテーションエンジン８３に対するパレンタルレベルと、第２プレゼンテーションエンジン８４に対するパレンタルレベルの設定を受ける。
以下、このような車載ＡＶシステムの動作について説明する。
まず、制御部１１は、ＤＶＤ-Ｖｉｄｅｏ再生装置８がフロントソース装置としてのみ選択された場合には、レベルａを、第１プレゼンテーションエンジン８３のパレンタルレベルとしてナビゲーションエンジン８５に設定し、ＤＶＤ-Ｖｉｄｅｏ再生装置８がリアソース装置としてのみ選択された場合には、レベルｂを、第１プレゼンテーションエンジン８３のパレンタルレベルとしてナビゲーションエンジン８５に設定する。また、制御部１１は、ＤＶＤ-Ｖｉｄｅｏ再生装置８がフロントソース装置としてのみ、または、リアソース装置としてのみ選択された場合には、ナビゲーションエンジン８５に、第１プレゼンテーションエンジン８３のみによる再生動作を指示する。
【００３９】
ナビゲーションエンジン８５は、制御部１１から第１プレゼンテーションエンジン８３のみによる再生動作を指示された場合、設定された第１プレゼンテーションエンジン８３のパレンタルレベルを用いて、当該パレンタルレベルに対応するプレゼンテーションデータの再生を制御するためのナビゲーションデータと当該パレンタルレベルに対応するプレゼンテーションデータとのデータ読出制御部８２のデータ読み出し動作と、読み出した当該パレンタルレベルに対応するプレゼンテーションデータの第１プレゼンテーションエンジン８３による再生動作を制御する。また、制御部１１は、ＤＶＤ-Ｖｉｄｅｏ再生装置８がフロントソース装置としてのみ設定されている場合、ビデオセレクタ１２に、第１プレゼンテーションエンジン８３から出力される映像をフロントモニタ２に出力させ、オーディオセレクタ１３に第１プレゼンテーションエンジン８３から出力される音声をフロント音声出力装置４に出力させる。一方、ＤＶＤ-Ｖｉｄｅｏ再生装置８がリアソース装置としてのみ設定されている場合、ビデオセレクタ１２に、第１プレゼンテーションエンジン８３から出力される映像をリアモニタ３に出力させ、オーディオセレクタ１３に第１プレゼンテーションエンジン８３から出力される音声をリア音声出力装置５に出力させる。
【００４０】
次に、制御部１１は、ＤＶＤ-Ｖｉｄｅｏ再生装置８がフロントソース装置としてもリアソース装置としても選択された場合には、レベルａを、第１プレゼンテーションエンジン８３のパレンタルレベルとしてナビゲーションエンジン８５に設定し、レベルｂを、第２プレゼンテーションエンジン８４のパレンタルレベルとしてナビゲーションエンジン８５に設定する。また、制御部１１は、ナビゲーションエンジン８５に、第１プレゼンテーションエンジン８３と第２プレゼンテーションエンジン８４との双方による再生動作を指示する。
【００４１】
ナビゲーションエンジン８５は、設定された第１プレゼンテーションエンジン８３のパレンタルレベルと、第２プレゼンテーションエンジン８４のパレンタルレベルとの２つのパレンタルレベルを用いて、２つのパレンタルレベルのプレゼンテーションデータの再生を制御するためのナビゲーションデータと、２つのパレンタルレベルのプレゼンテーションデータとのデータ読出制御部８２のデータ読み出し動作と、読み出した第１プレゼンテーションエンジン８３のパレンタルレベルに対応するプレゼンテーションデータの第１プレゼンテーションエンジン８３による再生動作と、読み出した第２プレゼンテーションエンジン８４のパレンタルレベルに対応するプレゼンテーションデータの第2プレゼンテーションエンジンによる再生動作とを制御する。また、制御部１１は、ＤＶＤ-Ｖｉｄｅｏ再生装置８がフロントソース装置としてもリアソース装置としても選択されている場合、ビデオセレクタ１２に、第１プレゼンテーションエンジン８３から出力される映像をフロントモニタ２に出力させ、オーディオセレクタ１３に第１プレゼンテーションエンジン８３から出力される音声をフロント音声出力装置４に出力させ、ビデオセレクタ１２に、第２プレゼンテーションエンジン８４から出力される映像をリアモニタ３に出力させ、オーディオセレクタ１３に第２プレゼンテーションエンジン８４から出力される音声をリア音声出力装置５に出力させる。
【００４２】
以上、第２の実施形態について説明した。
このような第２実施形態に係る車載ＡＶシステムによれば、前記第１実施形態の効果に加え、以下の効果がある。
すなわち、レベルａとしてレベル８を、レベルｂとしてレベル３を設定しているときに、ＤＶＤ-Ｖｉｄｅｏ再生装置８がフロントソース装置としてもリアソース装置としても選択されているときに、パレンタルブロックを含むＶＴＳ＿ＴＴが再生される場合には、フロントシートのユーザと、リアシートのユーザは、それぞれのパレンタルレベルに応じた異なるビデオストリームを同時に視聴することができる。すなわち、たとえば、図３の３０５のＶＴＳ＿ＴＴについては、フロントシートのユーザは、フロントモニタ２とフロント音声出力装置４を用いて、３０６のシーケンスでＰＧＣが再生されるビデオストリームを視聴している期間中、リアシートのユーザは、リアモニタ３とリア音声出力装置５を用いて、３０７のシーケンスでＰＧＣが再生されるビデオストリームを視聴することになる。
【００４３】
したがって、ユーザの煩雑な操作を必要とすることなしに、フロントモニタ及びフロント音声出力装置４の組と、リアモニタ及びリア音声出力装置５の組それぞれについて、各組を使用するユーザに対応するパレンタルレベルに応じた映像、音声出力を同時並行的に行えるようになる。
【００４４】
ところで、以上では、自動車に搭載される車載ＡＶシステムへの適用を例にとり説明したが、以上の実施形態は、その他のＡＶシステムにも同様に適用することができる。
たとえば、図６に示すようなＡＶサーバからネットワークを介して複数のビデオ出力端末にビデオをストリーミング配信するようなＡＶシステムにも同様に適用することができる。
ここで、このＡＶシステムは、ＡＶサーバ６１と、ＡＶサーバ６１に無線ＬＡＮまたは有線ＬＡＮであるネットワーク６２を介して接続する複数のビデオ出力端末６３とより構成される。
ＡＶサーバ６１は、ＤＶＤ-Ｖｉｄｅｏ再生装置８と、ＴＶチューナ９と、ＨＤＤに記録されたビデオデータを再生するＨＤＤビデオ記録再生装置６１１と、ストリーミング配信サーバ６１２と、ネットワークインタフェース６１３とを含んで構成される。また、各ビデオ出力端末６３は、モニタ６３１とスピーカ６３２とストリーミングプレイヤ６３３と端末操作部６３４とネットワークインタフェース６３５とを含んで構成される。なお、ビデオ出力端末６３は、パーソナルコンピュータを用いて構成されるものであってもよい。
【００４５】
さて、このような構成において、ストリーミングプレイヤ６３３は端末操作部６３４のユーザ操作に応じて、ＤＶＤ-Ｖｉｄｅｏ再生装置８またはＴＶチューナ９またはＨＤＤビデオ記録再生装置６１１の出力ビデオのストリーミング配信をストリーミング配信サーバ６１２に要求する。
【００４６】
ストリーミング配信を要求されたストリーミング配信サーバ６１２は、要求元のビデオ出力端末６３に対して予め設定されているパレンタルレベルを、ストリーミング配信を要求された出力ビデオの出力元の装置（ＤＶＤ-Ｖｉｄｅｏ再生装置８またはＴＶチューナ９またはＨＤＤビデオ記録再生装置６１１）に設定する。そして、ストリーミング配信を要求された出力ビデオの出力元の装置を制御して映像と音声の出力を開始させ、ストリーミング配信を要求されたビデオの出力元の装置から入力する映像と音声をコーディングし、要求元のビデオ出力端末６３にネットワーク６２を介してストリーミング配信する。ここで、ストリーミング配信を要求された出力ビデオの出力元の装置は、ストリーミング配信サーバ６１２から設定されたパレンタルレベルに従って映像と音声の再生出力動作や受信出力動作を行う。
【００４７】
一方、ストリーミング配信を要求したビデオ出力端末６３のストリーミングプレイヤ６３３は、ストリーミングサーバからネットワーク６２を介してストリーミング配信された映像や音声をデコードし、モニタ６３１とスピーカ６３２に出力する。
以上、本発明の実施形態について説明した。
【図面の簡単な説明】
【００４８】
【図１】本発明の第１実施形態に係る車載ＡＶシステムの構成を示すブロック図である。
【図２】本発明の第１実施形態に係る車載ＡＶシステムが行うパレンタルレベル制御処理を示すフローチャートである。
【図３】ＤＶＤ-Ｖｉｄｅｏ再生装置のパレンタルレベルに応じた再生動作を示す図である。
【図４】本発明の第１実施形態に係るＴＶチューナが受信するＴＶ放送の放送フォーマット例を示す図である。
【図５】本発明の第２実施形態に係る車載ＡＶシステムの構成を示すブロック図である。
【図６】本発明の実施形態に係るＡＶシステムの他の構成例を示すブロック図である。
【符号の説明】
【００４９】
１…メインユニット、２…フロントモニタ、３…リアモニタ、４…フロント音声出力装置、５…リア音声出力装置、６…フロント操作部、７…リア操作部、８…ＤＶＤ-Ｖｉｄｅｏ再生装置、９…ＴＶチューナ、１０…ナビゲーション装置、１１…制御部、１２…ビデオセレクタ、１３…オーディオセレクタ、６１…ＡＶサーバ、６２…ネットワーク、６３…ビデオ出力端末、８１…Ｖｉｄｅｏディスクドライブ、８２…データ読出制御部、８３…第１プレゼンテーションエンジン、８４…第２プレゼンテーションエンジン、８５…ナビゲーションエンジン、６１１…ＨＤＤビデオ記録再生装置、６１２…ストリーミング配信サーバ、６３１…モニタ、６３２…スピーカ、６３３…ストリーミングプレイヤ、６３４…端末操作部。
【図１】
2006197432.tif 000003
【図２】
2006197432.tif 000004
【図３】
2006197432.tif 000005
【図４】
2006197432.tif 000006
【図５】
2006197432.tif 000007
【図６】
2006197432.tif 000008